(57)【特許請求の範囲】
【請求項１】
飲料水サーバー（Ｓ）の貯水タンク（１０）に飲料水（ｗ）を供給するためにその飲料水サーバー（Ｓ）に用いられ、内部に飲料水（ｗ）を収容する本体部（３）と前記貯水タンク（１０）に通じる導水管（１１）に接続可能な接続部（２）とを有する容器（１）と、その容器（１）を収容する収納ケース（２０）とを備え、前記容器（１）の前記接続部（２）を下向きにした状態で、前記導水管（１１）の先端が前記接続部（２）に差し込まれることにより、前記本体部（３）内の飲料水（ｗ）が前記導水管（１１）を通じて前記貯水タンク（１０）内へ流下し、前記容器（１）は可撓性を有する素材で形成されて内部の飲料水（ｗ）が減少する際に収縮変形するようになっており、前記容器（１）は、前記接続部（２）を下向きにした状態で前記本体部（３）の外面から上方又は側方へ伸びてその先に係止部（３１）を有する吊り下げ片（３０）を備え、前記ケース（２０）内に設けた固定部材（２１）が、前記係止部（３１）に係止することにより、前記容器（１）は前記吊り下げ片（３０）を介して前記ケース（２０）に吊り下げて支持されることを特徴とする飲料水収容具。
【請求項２】
前記吊り下げ片（３０）は、前記接続部（２）を下向きにした状態の前記本体部（３）の上下方向中ほどから上方に伸びていることを特徴とする請求項１に記載の飲料水収容具。
【請求項３】
前記吊り下げ片（３０）は、前記本体部（３）を挟んで両側に設けられることを特徴とする請求項１又は２に記載の飲料水収容具。
【請求項４】
前記本体部（３）は、複数枚のシート状物が互いに接合部（３ａ）で接合されてその接合部（３ａ）の内側に飲料水（ｗ）を収容可能な空間が形成されるようになっており、前記接続部（２）は、前記シート状物のうちの一のシート状物の中央部に設けられて、前記吊り下げ片（３０）は、前記接続部（２）を設けた前記一のシート状物と他のシート状物との前記接合部（３ａ）から上方に伸びていることを特徴とする請求項１乃至３のいずれか一つに記載の飲料水収容具。
【請求項５】
前記接続部（２）を設けた前記一のシート状物と前記吊り下げ片（３０）とは、連続する一枚のシート状物により形成されていることを特徴とする請求項４に記載の飲料水収容具。
【請求項６】
前記係止部（３１）は前記吊り下げ片（３０）に形成された穴（３１ａ）であり、前記固定部材（２１）は係止突部（２１ａ）を備え、その係止突部（２１ａ）が前記穴（３１ａ）に入り込むことで、前記固定部材（２１）が前記係止部（３１）に係止することを特徴とする請求項１乃至５のいずれか一つに記載の飲料水収容具。
【請求項７】
前記収納ケース（２０）は、一方に開口部（２２ａ）を他方に底部（２２ｂ）を有する凹状のケース本体（２２）と、その開口部（２２ａ）の縁に連設された折り込み片（２３）とを備え、前記容器（１）は、前記接続部（２）が前記開口部（２２ａ）側に向くように前記ケース本体（２２）内に収納され、前記固定部材（２１）は、前記底部（２２ｂ）に向かって前記ケース本体（２２）内に折り込まれた前記折り込み片（２３）であることを特徴とする請求項１乃至６のいずれか一つに記載の飲料水収容具。
【請求項８】
前記収納ケース（２０）は、一方に開口部（２２ａ）を他方に底部（２２ｂ）を有する凹状のケース本体（２２）と、その開口部（２２ａ）の縁に連設された蓋体（２４）と、その蓋体（２４）の縁に連設された折り込み片（２３）とを備え、前記容器（１）は、前記接続部（２）が前記開口部（２２ａ）側に向くように前記ケース本体（２２）内に収納され、前記固定部材（２１）は、前記底部（２２ｂ）に向かって前記ケース本体（２２）内に折り込まれた前記折り込み片（２３）であることを特徴とする請求項１乃至６のいずれか一つに記載の飲料水収容具。
【請求項９】
前記収納ケース（２０）は、一方に開口部（２２ａ）を他方に底部（２２ｂ）を有する凹状のケース本体（２２）と、そのケース本体（２２）とは別体に形成され前記ケース本体（２２）内に差し入れられる補助部材（２５）とを備え、前記容器（１）は、前記接続部（２）が前記開口部（２２ａ）側に向くように前記ケース本体（２２）内に収納され、前記補助部材（２５）は、前記開口部（２２ａ）を覆う蓋部（２５）とその蓋部（２５）から前記底部（２２ｂ）に向かって立ち上がる保持部（２６）とを備え、前記補助部材（２５）が前記ケース本体（２２）内に差し入れられることにより、前記保持部（２６）が前記係止部（３１）に係止して、その保持部（２６）を前記固定部材（２１）としたことを特徴とする請求項１乃至６のいずれか一つに記載の飲料水収容具。
【請求項１０】
前記容器（１）の前記接続部（２）は、前記本体部（３）から突出する筒状の開口部を有し、その筒状の開口部の外周に補強筒（４３）が嵌められて、または、一体に溶着されて、前記補強筒（４３）にキャップ（４０）が取付けられて容器（１）が閉じられており、前記補強筒（４３）は外径側に突出するフランジ部（４４）を有し、前記接続部（２）を前記収納ケース（２０）外へ引き出した状態で、前記フランジ部（４４）と前記収納ケース（２０）の外面との間に補強部材（２８）を差し入れることにより、前記接続部（２）を前記収納ケース（２０）に固定したことを特徴とする請求項１乃至９のいずれか一つに記載の飲料水収容具。
【発明の詳細な説明】
【技術分野】
【０００１】
この発明は、容器に収容されたミネラルウォーター等の各種飲料水をタンク内に貯留した後、その貯留した飲料水を常温又は冷温で、あるいは、その貯留した飲料水を加熱して適宜供給できるようにした飲料水サーバーに使用する飲料水収容具に関するものである。
【背景技術】
【０００２】
ミネラルウォーター等の各種飲料水を、適宜、コップやペットボトル等に必要な量だけ供給する飲料水サーバーＳとして、例えば、図１５に示すものがある。
【０００３】
この飲料水サーバーＳは、貯水タンク１０から上方に伸びる導水管１１に、容器１内に飲料水ｗを収容した飲料水収容具Ｔが着脱可能となっている。飲料水収容具Ｔを取付けると、容器１内の飲料水ｗが、その自重により、導水管１１を通じて貯水タンク１０内へ流下し、貯水タンク１０内に貯留される。
【０００４】
貯水タンク１０から引き出された送水管１８に、開閉自在の供給バルブ１７が設けられており、その供給バルブ１７を開放すれば、貯水タンク１０内の飲料水ｗが適宜外部へ供給でき、また、供給バルブ１７を閉鎖すれば、その供給が止まるようになっている。
【０００５】
飲料水収容具Ｔは、予め殺菌処理等が施された状態の飲料水ｗが、例えば、２０リットル程度の単位で容器１内に封入されて、密閉された状態で市場に供給されているものである。
【０００６】
また、その容器１は、硬質の樹脂で形成されて、内部の飲料水ｗが減少してもその形状が維持されるものと、軟質の樹脂、すなわち、可撓性を有する素材で形成されて、内部の飲料水ｗが減少すると、それに応じて弾性変形し内部の容積が収縮するエアーレスタイプのものとがある。後者の場合、容器１内に空気ａが入り込まないので、より衛生的である。
【０００７】
飲料水サーバーＳは、前者の硬質の容器１を用いた飲料水収容具Ｔに対応したものと、後者の軟質の容器１を用いた飲料水収容具Ｔに対応したものとが存在する。
【０００８】
軟質の容器１に対応した飲料水サーバーＳの作用を説明すると、図１５（ａ）に示すように取付けた容器１内の飲料水ｗが、前記貯水タンク１０内へ流下してその容器１内の飲料水ｗが減少すると、前記容器１は収縮変形してその容器１内に空気が侵入しない（図１５（ｂ）参照）。図中の符号１５は通気孔を示し、符号１６は、その通気孔１５に設けられるフィルタを示す。
【０００９】
また、導水管１１の下端に設けたフロート弁１４が、貯水タンク１０内の水位変動に伴ってその導水管１１の下端開口を開閉するようになっている。
このため、容器１内から貯水タンク１０への水の流下は、貯水タンク１０内の水位が上昇して所定の位置に達した際に、フロート弁１４が導水管１１の下端開口を閉じることにより、自動的に止まるようになっている（図１５（ｃ）参照）。
【００１０】
また、送水管１８からの飲料水ｗの供給により、貯水タンク１０内の水位が低下すれば、フロート弁１４が導水管１１の下端開口を開放することにより、容器１内の飲料水ｗが貯水タンク１０内に流下し、その水位が維持される（図１５（ｄ）参照）。
【００１１】
なお、一般的には、貯水タンク１０に冷却装置を設けて、貯水タンク１０内の飲料水ｗを冷却して冷水として供給する場合や、同じく加熱装置を設けることにより、加熱した飲料水ｗを供給できるようにした飲料水サーバーＳもある。
【００１２】
また、容器１を、段ボールや樹脂製の収納ケース内に収容し、その収納ケースとともに容器１を飲料水サーバーＳに装着するようにした飲料水収容具もある。
【００１３】
可撓性を有する素材で形成された容器１は、それを手に持った際に外側から力を加えると、その力を加えた部分が凹むように変形する。このため、導水管１１に対して容器１の開口した接続部２を接続する際に、その容器１に対して力がうまく伝わらないことが多い。また、容器１の変形により、接続部２の位置が導水管１１から逃げようとするので、飲料水サーバーＳへの装着が簡単ではない場合が多い。
【００１４】
この点、上記のように、容器１を収納ケース内に収容したままの状態で、飲料水サーバーＳに装着する構成とすれば、収納ケースを外側から掴んでも内部の容器１は変形しない。そこで、接続部のみを収納ケースに設けた開口部より取り出し、別途の補強部材で収納ケースと固定すれば、導水管１１への容器１の接続が簡単であり、また、その装着後も容器１は収納ケースに保持され、飲料水サーバーＳに対して安定して支持される（例えば、特許文献１，２参照）。
【先行技術文献】
【特許文献】
【００１５】
【特許文献１】特開平９−２２６８３２号公報
【特許文献２】特開２０１０−１２６１７０号公報
【発明の概要】
【発明が解決しようとする課題】
【００１６】
しかし、内部の飲料水ｗの減少とともに収縮可能な軟質の素材、すなわち、可撓性を有する素材からなるシートやフィルム等（以下、「シート状物」という）で形成された容器１では、その容器１の中に、最後まで導水管１１を通じて貯水タンク１０に落下しない飲料水ｗ、いわゆる残水が発生することがある。
【００１７】
図１６に示すものは、内部に飲料水ｗを注入する前の容器１の例であり、図１４（ａ）や図１４（ｃ）は、内部に飲料水ｗを注入した後の容器１の例である。
【００１８】
前述の残水は、容器１内の飲料水ｗが残り少なくなった際に、容器１の素材が、例えば、図１４（ａ）に示す状態から図１４（ｂ）に示す状態へ、あるいは、図１４（ｃ）に示す状態から図１４（ｄ）に示す状態へと、部分的に折れ曲がったり、湾曲したり、あるいは、皺が生じたりすることにより発生する。すなわち、その折れ曲がり、湾曲、皺によって凹状の部分（以下、「溜まり部Ａ」と称する）が生じ、その溜まり部Ａに飲料水ｗが滞留することによって発生するものである。溜まり部Ａに飲料水ｗが滞留すると、その滞留した飲料水ｗは下方の接続部２に導かれないから、最後まで導水管１１には流れない。
【００１９】
この残水の発生は、例えば、特許文献１，２に記載のように、容器１を、段ボールや樹脂製の収納ケース内に収容し、その収容ケースとともに容器１を飲料水サーバーＳに装着するようにした飲料水収容具においても同様に発生する。
容器１を収納ケース内に収容していても、容器１の素材が、部分的に折れ曲がったり、湾曲したり、あるいは、皺が生じたりすることにより、前記凹状の溜まり部Ａが生じるからである。
【００２０】
そこで、この発明は、容器内に残水が発生することを抑制することを課題とする。
【課題を解決するための手段】
【００２１】
上記の課題の最大の要因は、容器が満水状態から排水完了の空状態に変形する際、その収縮により、容器の素材が意図しない方向へ折れ曲がったり、湾曲したり、あるいは、皺が生じたりすることによる。これは、容器の素材は可塑性を有しているが、伸縮性を有していないことに起因しており、例えば、ゴム風船のように、体積の変化に伴い容器表面積を収縮すれば、このような問題は起こらない。
【００２２】
可撓性を有する素材で構成されたエアーレスタイプの容器では、満水状態と空（カラ）の状態とでは、内部の容積は大きく変化するものの、容器の表面積は変化しないため、容積の変化に伴って、容器は縦方向あるいは横方向に伸びる。しかし、容器を収容した収納ケース内のスペースは変化しないため、満水状態から空の状態へと容器が変形するのに伴って、容器は縦方向あるいは横方向に伸び、その伸びにより容器の素材が各所で折れ、湾曲し、皺となって溜まり部Ａを生じさせることとなるのである。
【００２３】
上記の課題を解決するために、この発明は、収納ケース内に伸びた状態の容器（空の状態の容器）が収まる様に、その容器の収縮に一定の制約を与え、収縮変化をコントロールする為の形状及び梱包形態としたものである。すなわち、飲料水収容具に吊り下げ片を設けて、その吊り下げ片を介して容器を収納ケース内に固定し、容器の変形に条件を与えたのである。
【００２４】
具体的な構成は、飲料水サーバーの貯水タンクに飲料水を供給するためにその飲料水サーバーに用いられ、内部に飲料水を収容する本体部と前記貯水タンクに通じる導水管に接続可能な接続部とを有する容器と、その容器を収容する収納ケースとを備え、前記容器の前記接続部を下向きにした状態で、前記導水管の先端が前記接続部に差し込まれることにより、前記本体部内の飲料水が前記導水管を通じて前記貯水タンク内へ流下し、前記容器は可撓性を有する素材で形成されて内部の飲料水が減少する際に収縮変形するようになっており、前記容器は、前記接続部を下向きにした状態で前記本体部の外面から上方又は側方へ伸びてその先に係止部を有する吊り下げ片を備え、前記ケース内に設けた固定部材が、前記係止部に係止することにより、前記容器は前記吊り下げ片を介して前記ケースに固定し吊り下げて支持されることを特徴とする飲料水収容具とした。
【００２５】
このように、容器は、飲料水が収容される中空の本体部と、飲料水の注入口及び注出口として機能する接続部を有し、その容器は、収納ケース内に接続部が開口部側に向くように収納される。この飲料水収容具が飲料水サーバーに装着される際には、収納ケースを上下反転させ、容器の接続部を下向きにすることとなる。このため、容器内の飲料水が残り少なくなった際は、その接続部付近を含む下部に飲料水が集まる。
このとき、容器の本体部を構成している素材（可撓性を有する素材）は、その飲料水が集まっている本体部の下部と、前記吊り下げ片の係止部との間で、飲料水の自重によって引張られる。この引張りによって、素材（可撓性を有する素材）がピンと張られた状態となり、溜まり部を生じさせにくくし、残水の発生を防ぐものである。
【００２６】
なお、収納ケースの大きさは、飲料水が収容されていない空の状態の容器の大きさとの関係において、その空の容器の横方向、すなわち、容器の接続部と係止部とを結ぶ方向の全長と等しい又はそれよりも大きい「内のり」を、使用状態（飲料水収容具をサーバーに取付けた状態）における収納ケースの下部及び下部から立ち上がる側面に確保していることが望ましい。つまり、前記使用状態の収納ケースにおいて、その収納ケースの下部における容器の接続部を固定する部分と、収納ケースが容器の係止部を係止する部分との間とを結ぶ水平方向、上下方向の「内のり」の合計が、その空の容器における容器の接続部と係止部とを結ぶ方向の長さよりも長いことが望ましい。
このように、収納ケースは、容器に設けた係止部を介してその容器を上方から吊すように支持し、また、最下部の接続部は収納ケースに固定されていることから、容器を構成する素材は、飲料水の自重で下向きに引張られる。飲料水の減少とともに、容器は、その下部及び下部から延びる両側面に張り付くように収縮し、接続部と係止部との間でその全長を確保して行くので、部分的に折れ曲がったり、湾曲したり、あるいは、皺が生じたりすることを抑制し、残水の発生を抑制し得る。
【００２７】
ここで、残水が発生しやすいのは、概ね、容器内の飲料水が残り少なくなってきた頃である。このため、例えば、接続部を下向きにした状態において、吊り下げ片が、本体部の上下方向中ほどから上方に伸びているようにすれば、飲料水の水面が上下方向中ほどに至った以後、飲料水が完全に無くなるまでの間の溜まり部の発生を効果的に抑制し得る。引張り力は、吊り下げ片の係止部から根元部へ、その根元部から飲料水の溜まっている容器の下端部へと作用するからである。
【００２８】
この吊り下げ片は、前記使用状態において、最下部の接続部を基点として、４方向あるいは２方向に設けることが望ましい。吊り下げ片を２方向に、すなわち二つ設ける場合、その二つの吊り下げ片は、本体部を挟んで両側に対向して設けた構成とすることが望ましい。また、接続部を挟んで対称に配置すれば、さらに望ましい。飲料水の自重による容器の素材に対する引張り力が、本体部全体にバランスよく作用するからである。
また、吊り下げ片を三つ、四つ、あるいはそれ以上の数設ける場合、それらの吊り下げ片は、本体部の周囲に沿って一定の方位に偏ることなく設けられていることが望ましい。さらに、それらの吊り下げ片が接続部を中心として、その接続部の周囲に平面視等分方位にバランスよく配置する事が望ましい。
【００２９】
また、容器を、以下の構成とすることもできる。すなわち、前記本体部は、複数枚のシート状物が互いに接合部で接合されてその接合部の内側に飲料水を収容可能な空間が形成されるようになっており、前記接続部は、前記シート状物のうちの一のシート状物の中央部に設けられて、前記吊り下げ片は、前記接続部を設けた前記一のシート状物と他のシート状物との前記接合部から外側方向側方へ又は上方に伸びている構成である。
【００３０】
このように、吊り下げ片を、本体部を構成するシート状物同士の接合部から伸びるようにすれば、残水の発生が問題となりやすい容器の下部に接合部が介在しないので、容器の素材が引張られた際に、折れ曲がりや湾曲、皺を解消しやすい。
【００３１】
また、この構成において、前記接続部を設けた前記一のシート状物と前記吊り下げ片とは、連続する一枚のシート状物により形成されているようにすれば、接続部側に位置するシート状物と吊り下げ片とを同一の素材で形成できるので、製造時の部品点数が減り、その製造が容易となる。
【００３２】
これらの各構成において、収納ケースに設けた固定部材と、吊り下げ片に設けた係止部との係止構造については、種々の構成を採用してよいが、例えば、前記係止部は前記吊り下げ片に形成された穴であり、前記固定部材は係止突部を備え、その係止突部が前記穴に入り込むことで、前記固定部材が前記係止部に係止する構成を採用することができる。
すなわち、吊り下げ片の穴に、固定部材の係止突部が、（容器の接続部を下向きにした状態で）下方から上方に向かって入り込むことによって、両者の係止が可能となる。
【００３３】
また、他の係止構造としては、例えば、収納ケースに設けた固定部材と、吊り下げ片に設けた係止部とを、互いにステープラやピン、接着剤等の接合手段により接合した構造、あるいは、吊り下げ片の係止部を、収納ケースの内面と固定部材との間に強く挟んで固定した構造等が考えられる。
【００３４】
また、固定部材の具体的構成として、以下の構成を採用することができる。
【００３５】
例えば、前記収納ケースは、一方に開口部を他方に底部を有する凹状のケース本体と、その開口部の縁に連設された折り込み片とを備え、前記容器は、前記接続部が前記開口部側に向くように前記ケース本体内に収納され、前記固定部材は、前記底部に向かって前記ケース本体内に折り込まれた前記折り込み片である構成である。
【００３６】
また、他の構成としては、前記収納ケースは、一方に開口部を他方に底部を有する凹状のケース本体と、その開口部の縁に連設された蓋体と、その蓋体の縁に連設された折り込み片とを備え、前記容器は、前記接続部が前記開口部側に向くように前記ケース本体内に収納され、前記固定部材は、前記底部に向かって前記ケース本体内に折り込まれた前記折り込み片である構成である。
【００３７】
さらに、他の構成としては、前記収納ケースは、一方に開口部を他方に底部を有する凹状のケース本体と、そのケース本体とは別体に形成され前記ケース本体内に差し入れられる補助部材とを備え、前記容器は、前記接続部が前記開口部側に向くように前記ケース本体内に収納され、前記補助部材は、前記開口部を覆う蓋部とその蓋部から前記底部に向かって立ち上がる保持部とを備え、前記補助部材が前記ケース本体内に差し入れられることにより、前記保持部が前記係止部に係止して、その保持部を前記固定部材とした構成である。
【００３８】
また、これらの各構成において、前記容器の前記接続部は、前記本体部から突出する筒状の開口部を有し、その筒状の開口部の外周に補強筒が嵌められて、または、一体に溶着されて、前記補強筒にキャップが取付けられて容器が閉じられており、前記補強筒は外径側に突出するフランジ部を有し、前記接続部を前記収納ケース外へ引き出した状態で、前記フランジ部と前記収納ケースの外面との間に補強部材を差し入れることにより、前記接続部を前記収納ケースに固定した構成を採用し得る。
【００３９】
この構成によれば、接続部を収納ケースにしっかりと固定できるので、容器内の飲料水が減少した際に、その飲料水が集まっている本体部の下部と、吊り下げ片の係止部との間の飲料水の自重による引張り力を、効果的に作用させることができる。
【発明の効果】
【００４０】
この発明は、飲料水を収容した容器に吊り下げ片を設けて、その吊り下げ片を介して容器を収納ケースに吊り下げて支持したので、容器内に残水が発生することを抑制することができる。
【図面の簡単な説明】
【００４１】
【図１】この発明の一実施形態の飲料水収容具を示し、（ａ）は収納ケース内に容器を収容した後の状態を示す斜視図、（ｂ）は補助部材を差し入れている状態を示す斜視図、（ｃ）は補助部材を完全に差し入れた状態を示す斜視図、（ｄ）は（ｃ）の要部拡大図
【図２】同実施形態の容器を示し、（ａ）は飲料水を収容する前の状態を示す平面図、（ｂ）は（ａ）の正面図、（ｃ）は飲料水を収容した後の状態を示す斜視図
【図３】（ａ）（ｂ）は、容器の接続部を閉じるキャップの構造を示す断面図
【図４】同実施形態の補助部材を差し入れる際の作用を示し、（ａ）は収納ケース内に容器を収容し補助部材を吊り下げ片の根元部に宛がった状態を示す切断正面図、（ｂ）は（ａ）のＢ−Ｂ矢視図、（ｃ）は補助部材を押し込みつつある状態を示す切断正面図、（ｄ）は（ｃ）のＤ−Ｄ矢視図、（ｅ）は補助部材を完全に差し入れた状態を示す切断正面図、（ｆ）は（ｅ）のＦ−Ｆ矢視図、（ｇ）は（ｅ）の要部拡大図、（ｈ）は（ｆ）の要部拡大図
【図５】同実施形態の飲料水収容具の使用方法を示し、（ａ）は開封する前の状態を示す斜視図、（ｂ）は開封口を開けた状態を示す斜視図、（ｃ）は開封口を通じて容器の接続部を引き出した状態を示す斜視図、（ｄ）は補強部材を収納ケースに取付ける前の状態を示す斜視図、（ｅ）は補強部材を収納ケースに取付けた後の状態を示す斜視図、（ｆ）は飲料水サーバーに取付けるために飲料水収容具を上下反転させた状態を示す断面図
【図６】（ａ）〜（ｃ）は、容器内の飲料水が残り少なくなった際の、吊り下げ片の作用を示す説明図
【図７】他の実施形態の飲料水収容具を示し、（ａ）は収納ケース内に容器を収容した後の状態を示す斜視図、（ｂ）は蓋体を閉じようとしている状態を示す斜視図、（ｃ）は蓋体を完全に閉じた状態を示す斜視図
【図８】他の実施形態の蓋体を閉じる際の作用を示し、（ａ）は収納ケース内に容器を収容し蓋体を閉じようとしている状態を示す切断正面図、（ｂ）は（ａ）のＢ−Ｂ矢視図、（ｃ）は蓋体に連設された保持部を押し込みつつある状態を示す切断正面図、（ｄ）は（ｃ）のＤ−Ｄ矢視図、（ｅ）は蓋体を完全に差し入れた状態を示す切断正面図、（ｆ）は（ｅ）のＦ−Ｆ矢視図、（ｇ）は（ｅ）の要部拡大図、（ｈ）は（ｆ）の要部拡大図
【図９】他の実施形態の容器を示し、飲料水を収容する前の状態を示す平面図
【図１０】他の実施形態の飲料水収容具を示し、（ａ）は収納ケース内に容器を収容した後の状態を示す斜視図、（ｂ）は補助部材を差し入れている状態を示す斜視図、（ｃ）は補助部材を完全に差し入れた状態を示す斜視図、（ｄ）は（ｃ）の要部拡大図
【図１１】他の実施形態の補助部材を差し入れる際の作用を示し、（ａ）は収納ケース内に容器を収容し補助部材を吊り下げ片の根元部に宛がった状態を示す切断正面図、（ｂ）は（ａ）のＢ−Ｂ矢視図、（ｃ）は補助部材を押し込みつつある状態を示す切断正面図、（ｄ）は（ｃ）のＤ−Ｄ矢視図、（ｅ）は補助部材を完全に差し入れた状態を示す切断正面図、（ｆ）は（ｅ）のＦ−Ｆ矢視図
【図１２】さらに他の実施形態の蓋体を閉じる際の作用を示し、（ａ）は収納ケース内に容器を収容し蓋体を閉じようとしている状態を示す切断正面図、（ｂ）は（ａ）のＢ−Ｂ矢視図、（ｃ）は蓋体に連設された保持部を押し込みつつある状態を示す切断正面図、（ｄ）は（ｃ）のＤ−Ｄ矢視図、（ｅ）は蓋体を完全に差し入れた状態を示す切断正面図、（ｆ）は（ｅ）のＦ−Ｆ矢視図
【図１３】さらに他の実施形態の飲料水収容具の使用方法を示し、（ａ）は開封口を通じて容器の接続部を引き出した状態を示す斜視図、（ｂ）は補強部材を収納ケースに取付けた後の状態を示す斜視図、（ｃ）は飲料水サーバーに取付けるために飲料水収容具を上下反転させた状態を示す断面図
【図１４】従来の飲料水収容具を示し、（ａ）（ｃ）は容器内に飲料水が満水の状態、（ｂ）（ｄ）は容器内の飲料水が残り少なくなって残水を生じた状態を示す説明図
【図１５】（ａ）〜（ｄ）は、従来の飲料水収容具及び飲料水サーバーを示す模式図
【図１６】従来例の容器の平面図（飲料水を収容する前の状態）
【発明を実施するための形態】
【００４２】
この発明の一実施形態を、図１乃至図６に基づいて説明する。この実施形態の飲料水収容具Ｔは、図２に示す可撓性のある素材である軟質樹脂で形成された容器１を、図１に示すように、段ボールで形成された収納ケース２０内に収容して構成されたものである。
【００４３】
この飲料水収容具Ｔを用いる飲料水サーバーＳの基本的な構成は、従来例と同様であり、飲料水サーバーＳの貯水タンク１０に飲料水ｗを供給するために、その貯水タンク１０から立ち上がった導水管１１に、この飲料水収容具Ｔが着脱可能となっている。
【００４４】
容器１は、内部に飲料水ｗを収容し得る空間を形成可能な袋状の本体部３と、飲料水サーバーＳの前記導水管１１に接続可能な接続部２とを有している。接続部２は、本体部３からから突出した筒状の突出部４の先端に形成されている。
【００４５】
なお、容器１は飲料水ｗを充填する前はフラットな状態である。図２（ａ）（ｂ）は、容器１内に飲料水ｗを充填する前の状態を示し、複数枚の樹脂製のシート状物３ｂ，３ｃ，３ｄ，３ｄが互いに接合部３ａで接合されている。その接合部３ａで囲まれた内側に飲料水ｗが収容可能である。図２（ｃ）は、接続部２を通じて容器１内に飲料水ｗを充填した後の状態の斜視図である。
【００４６】
この実施形態の容器１は、アルミ蒸着フィルムやナイロン素材（ポリアミド系樹脂）で形成され、接合部３ａは溶着による。ただし、容器１の素材は、アルミ蒸着フィルムやナイロン素材には限定されず、他の素材として、可撓性を有する素材（軟質プラスチック等）で形成されているものを対象とし得る。すなわち、容器１内の飲料水ｗが減少する際に、その容器１が収縮変形することにより、内部に空気が入ることを抑制したタイプの飲料水収容具Ｔを用いる飲料水サーバーＳにおいて有効である。
【００４７】
なお、容器１内に飲料水ｗを収容した後、接続部２の開口はキャップ４０で閉じられる。このキャップ４０の例として、例えば、図３に示すものを採用することができる。
すなわち、容器１の接続部２は、本体部３から突出する筒状の開口部を有し、その筒状の開口部の外周に補強筒４３が嵌められて、その補強筒４３にキャップ４０が取付けられて容器１が閉じられている。キャップ４０は、その突出する筒状の開口部の先端を補強筒４３の外周に折り返した上で、接続部２を塞ぐように取付けられる。キャップ４０の中央には貫通孔４１が備えられ、導水管１１を差込んだ際に、その導水管１１の先端に押されて外れる栓４２が備えられている。なお、図３以外の図面では、キャップ４０の前記貫通孔４１等の図示を省略している。また、補強筒４３を、容器１の開口部に溶着することもできる。
【００４８】
容器１は、図２（ａ）〜（ｃ）に示すように、一のシート状物３ｂと、それに向かい合う他のシート状物３ｃ、及び、その両シート状物３ｂ，３ｃの端縁間を結ぶようにしてその側面を閉じるようになっている他のシート状物３ｄ，３ｄとで構成され、それらが前記接合部３ａで接合されて袋状に閉じられている。
【００４９】
また、容器１には、吊り下げ片３０が備えられている。この実施形態では、吊り下げ片３０は、本体部３を挟んで両側に対向して設けられ、それぞれ前記接合部３ａから伸びる構成となっている。
【００５０】
この吊り下げ片３０は、図２（ｃ）に示す接続部２を上向きにした状態で、本体部３の側面の上下方向中ほどにある接合部３ａから下方へ伸びて、その下部に係止部３１を有している。この実施形態では、係止部３１は、その吊り下げ片３０のシート状物を貫通するように形成された穴３１ａである。
なお、後述の使用状態では、容器１は、接続部２を下向きにした状態で使用されるので、この使用状態では、吊り下げ片３０は、本体部３の側面の上下方向中ほどにある接合部３ａから上方へ伸びて、その上部に係止部３１を有する位置関係となる（後述の図５（ｆ）参照）。
【００５１】
また、接続部２は、容器１を構成する前記シート状物３ｂ，３ｃ，３ｄ，３ｄのうち、図２（ａ）〜（ｃ）に示す一のシート状物３ｂの中央部に設けられている。また、吊り下げ片３０は、その接続部２を設けた前記一のシート状物３ｂと連続する一枚のシート状物により形成されている。
つまり、前記使用状態において下方（接続部２側）に位置する前記一のシート状物３ｂと吊り下げ片３０とを連続する一枚の素材で形成していることとなり、製造時の部品点数が減り、その製造が容易となっている。
【００５２】
容器１は、図１に示す収納ケース２０に収容された状態で運搬、保管等され、さらに、飲料水サーバーＳに取り付けて使用する際にも、その容器１を収納ケース２０に収容したまま用いるようになっている。
【００５３】
この実施形態では、収納ケース２０は段ボール製であるが、例えば、プラスチック製のものなど、他の素材で形成された収納ケース２０を用いてもよい。
【００５４】
収納ケース２０は、一方に開口部２２ａを他方に底部２２ｂを有する凹状の収容部２２ｃを有するケース本体２２と、そのケース本体２２とは別体に形成され前記ケース本体２２内に差し入れられる補助部材２９とを備える。
【００５５】
ケース本体２２は、矩形を成す前記底部２２ｂの周縁から立ち上がる側壁部２２ｄを四方に有し、その側壁部２２ｄの上縁に、開口部２２ａを閉じる蓋体２４を備える。
【００５６】
また、補助部材２９は、ケース本体２２の前記開口部２２ａを覆う蓋部２５と、その蓋部２５の両端縁からケース本体２２の前記底部２２ｂに向かって立ち上がる対の保持部２６とを備えた断面コ字状をなす部材である。各保持部２６の先端には、係止突部２１ａ，２１ａを備え、この保持部２６が、容器１を吊り下げ片３０を介して支持する固定部材２１として機能する。
【００５７】
収納ケース２０内に容器１を収容する際には、まず、図１（ａ）に示すように、その収納ケース２０の収容部２２ｃ内に容器１を収容する。このとき、接続部２が開口部２２ａ側に向くようにする。
【００５８】
なお、このとき、予め容器１内に飲料水ｗが収容されて接続部２がキャップ４０で閉じられた状態であってもよいし、あるいは、飲料水ｗが収容されていない空（カラ）の状態の容器１を収容部２２ｃ内に収容した後、飲料水ｗの充填及びキャップ４０の取付けを行ってもよい。
【００５９】
その後、図２（ｂ）や図４（ａ）（ｂ）に示すように、補助部材２９がケース本体２２内に差し入れられる。このとき、保持部２６の先端が、吊り下げ片３０の根元部（前記接合部３ａ付近）に宛がわれる。
【００６０】
この状態から補助部材２９を押し込むと、図４（ｃ）（ｄ）に示すように、保持部２６の先端が、吊り下げ片３０を押し下げていく。
このとき、保持部２６の先端が吊り下げ片３０に触れる部分は、前記接合部３ａ付近の根元部から徐々に先端側へ移動する。
【００６１】
さらに補助部材２９を押し込んで、その補助部材２９を収納部２２ｃ内に完全に差し入れると、図２（ｃ）や図４（ｅ）（ｆ）に示すように、保持部２６の先端が係止部３１に至る。そして、その保持部２６の先端に設けた係止突部２１ａが、係止部３１の穴３１ａに入り込む。この状態で、固定部材２１としての前記保持部２６が、係止部３１に係止した状態となる。
【００６２】
このとき、穴３１ａと通り抜けた係止突部２１ａは、収納ケース２０の底部２２ｂに当接するので、その後、係止突部２１ａと係止部３１との係止が外れにくいようになっている。
【００６３】
最後に、収納ケース２０の蓋体２４を閉じてテープ等により封止を行い、飲料水収容具Ｔが完成する。
【００６４】
この飲料水収容具Ｔの使用方法について説明する。図５（ａ）は、飲料水収容具Ｔの収納ケース２０を開封する前の状態を示す。この状態から、まず、図５（ｂ）に示すように、開封口２７を開けた状態にする。開封口２７は、蓋体２４に設けた切目線２７ａに沿って開封片２７ｂを切り離すことによって開封できる。
【００６５】
つぎに、図５（ｃ）に示すように、開封口２７を通じて容器１の接続部２を引き出した状態にする。そして、蓋体２４の上に補強部材２８を取付ける。
【００６６】
補強部材２８は、図５（ｃ）に示すように、板状の部材で構成され、その一端縁に開口２８ｂを有する切欠き２８ａが設けられている。切欠き２８ａは，前記一端縁への開口２８ｂから、その補強部材２８の板面の中央付近に向かって、一定の幅で長穴状に伸びている。補強部材２８は樹脂製または段ボール製でもよい。
【００６７】
また、容器１の突出部４の周囲に嵌められた補強筒４３には、外径側に突出するフランジ部４４が設けられており、そのフランジ部４４の下方に本体部３への接続点に向かってラッパ状に拡がる首部４５が設けられている（図３参照）。
この首部４５とフランジ部４４との間の小径の部分を、前記開口２８ｂから切欠き２８ａ内に差し入れながら、図５（ｄ）に示す矢印の方向に、補強部材２８を横方向へスライドさせる。
【００６８】
図５（ｄ）に示すように、首部４５とフランジ部４４との間の小径の部分が切欠き２８ａの奥部へ至り、補強部材２８の取付けを終了する。このとき、切欠き２８ａの幅は、首部４５やフランジ部４４の外径よりも小さく、また、その首部４５とフランジ部４４との間の小径の部分の外径と同一であるか、あるいは、ほぼ同一となっているので、その補強筒４３の外周と切欠き２８ａの内縁との摩擦で、補強部材２８が抜け止めされる。また、切欠き２８ａの幅は、首部４５やフランジ部４４の外径よりも狭いので、容器１の接続部２が収納ケース２０内に入り込んでしまったり、あるいは、接続部２が過度に開封口２７から突出することが阻止されている。
【００６９】
すなわち、接続部２を開封口２７を通じて収納ケース２０外へ引き出した状態で、フランジ部４４と収納ケース２０の外面との間に補強部材２８を差し入れることにより、その接続部２を収納ケース２０に固定している。
【００７０】
飲料水収容具Ｔを飲料水サーバーＳに取付ける際には、図５（ｆ）に示すように、収納ケース２０を上下反転させ、容器１の接続部２を下向きにした状態にする。
【００７１】
そして、キャップ４０の貫通孔４１（図３参照）に、飲料水サーバーＳの導水管１１の先端が差込まれることで、容器１の接続部２と導水管１１とが連通し、容器１内の飲料水ｗがその導水管１１を通じて貯水タンク１０内へ流下する。このとき、収納ケース２０は、飲料水サーバーＳに設けた適宜の部材によって、動かないように保持することができる（例えば、図１０の凹部１２、受け部１２ａ参照）。
【００７２】
収納ケース２０を上下反転させると、図６（ａ）に示すように、容器１は、接続部２を下向きにした状態で、吊り下げ片３０を介して収納ケース２０に吊り下げて支持された状態となる。図６で収納ケース２０のケース本体２２等は図示を省略している。
すなわち、吊り下げ片３０は、本体部３の外面から上方へ伸びてその上部に係止部３１を有しており、この係止部３１に、前記保持部２６からなる固定部材２１が係止しているからである。固定部材２１は、図６（ａ）に矢印ａで示すように、容器１を支持している。
【００７３】
つぎに、飲料水サーバーＳの貯水タンク１０内の飲料水ｗが外部へ供給されると、それに応じて、容器１内の飲料水ｗが導水管１１を通じて流下し、貯水タンク１０に飲料水ｗが補充される。
このとき、容器１は可撓性を有する素材で形成されているので、その容器１は、内部の飲料水ｗが減少する際に収縮変形していく。
【００７４】
容器１飲料水ｗが減少し、例えば、図６（ｂ）に示す状態になった時、容器１の本体部３を構成しているシート状物は、その飲料水ｗが集まっている本体部３の下部と前記吊り下げ片３０の根元部（接合部３ａ付近）との間で、図中の矢印ｂのように、飲料水ｗの自重によって引張られる。また、本体部３の下面においても、図中の矢印ｃのように、引張り力が生じる。
この引張りによって、シート状物がピンと張られた状態となり、従来のような溜まり部Ａ（図９参照）を生じさせにくくし、残水の発生を防ぐことができる。
【００７５】
なお、この効果は、図６（ｃ）に示すように、容器１内の飲料水ｗが完全になくなる直前の状態まで持続することができる。
【００７６】
このとき、補強部材２８を用いたことにより、容器１の接続部２を収納ケース２０にしっかりと固定できるので、容器１内の飲料水ｗが減少した際に、その飲料水ｗが集まっている本体部３の下部と、吊り下げ片３０の係止部３１との間の飲料水ｗの自重による引張り力を、効果的に作用させることができる。
【００７７】
この収納ケース２０の大きさは、飲料水ｗが収容されていない空の状態の容器１の大きさとの関係において、その空の容器１の横方向、すなわち、容器１の接続部２と係止部３１とを結ぶ方向の長さ（図２のＬ３参照）の２倍と等しいか、又は、それよりも大きい「内のり」を、使用状態（飲料水収容具をサーバーに取付けた状態）における収納ケース２０の下部及び下部から立ち上がる側面に確保していることが望ましい。
【００７８】
つまり、前記使用状態の収納ケース２０において、その収納ケース２０の下部における容器１の接続部２を固定する部分と、収納ケース２０が容器１の係止部３１を係止する部分との間とを結ぶ水平方向の「内のり」（図５（ｅ）及び図６（ｃ）のＬ１参照）、上下方向の「内のり」（図５（ｅ）及び図６（ｃ）のＬ２参照）の合計が、その空の容器１における容器１の接続部２と係止部３１とを結ぶ方向の長さ（図２（ａ）（ｂ）のＬ３参照）よりも長いことが望ましい。これは、容器１の接続部２を固定する部分と、反対側の係止部３１との関係においても同様である。
【００７９】
なお、空の容器１の幅方向全長（図２のＬ４参照）は、収納ケース２０の幅方向の「内のり」（図５（ｅ）のＬ５参照）と等しいか、又は、それよりも小さくなっている。
【００８０】
また、この実施形態では、吊り下げ片３０は、接続部２を設けた前記一のシート状物３ｂと他のシート状物３ｃ，３ｄ，３ｄとの接合部３ａから上方に伸びているので、飲料水ｗの自重による矢印ｂ，ｃの引張りは、連続する一枚のシート状物のみに作用している。このため、溜まり部Ａの発生がさらに確実に回避できる。
【００８１】
これは、飲料水ｗが残り少なくなってきた際に、飲料水ｗが接合部３ａに触れていると、溜まり部Ａが発生しやすいからである。容器１は、使用状態において、接合部３ａが容器１の下部に存在しないことが望ましく、接合部３ａは、本体部３の上下方向中ほど、あるいはそれ以上の箇所に位置していることが望ましい。
【００８２】
また、接続部２を設けた前記一のシート状物３ｂと吊り下げ片３０とが、連続する一枚のシート状物により形成されているので、前記使用状態において、下方（接続部２側）に位置する前記一のシート状物３ｂと吊り下げ片３０とを連続する一枚の素材で形成していることとなり、係止部３１と接続部２との間で、容器１の素材に対する引張り力がダイレクトに伝達され、溜まり部Ａの発生防止により効果的である。
【００８３】
なお、収納ケース２０及び固定部材２１に関する他の実施形態として、図７及び図８に示す構成を採用することができる。
【００８４】
図７及び図８に示す収納ケース２０は、固定部材２１と機能する保持部２６を備えた補助部材２９の使用に代えて、開口部２２ａを閉じる蓋体２４に折り込み片２３を連設することにより、その折り込み片２３を、固定部材２１として機能させるようにしたものである。なお、容器１の他の部分の構成は、前述の実施形態と同様であるので、説明を省略する。
【００８５】
収納ケース２０は、図７（ａ）や図８（ａ）に示すように、ケース本体２２は、矩形を成す前記底部２２ｂの周縁から立ち上がる側壁部２２ｄを四方に有し、その側壁部２２ｄの上縁に、開口部２２ａを閉じる蓋体２４を備える点は、前述の実施形態と同様である。
【００８６】
この実施形態では、蓋体２４の幅方向両側の縁２４ａ，２４ａに、それぞれ、折り込み片２３が連設されている。
【００８７】
収納ケース２０内に容器１を収容する際の手順について説明すると、収納ケース２０の収容部２２ｃ内に容器１を収容する。このとき、接続部２が開口部２２ａ側に向くようにする。
【００８８】
その後、図７（ａ）や図８（ａ）に示す状態から、図７（ｂ）や図８（ｂ）に示す状態へと、蓋体２４を閉じていく。すなわち、閉鎖方向に回動させる。このとき、折り込み片２３がケース本体２２内に側壁部２２ｄに沿って差し入れられ、その折り込み片２３の先端が、吊り下げ片３０の根元部（前記接合部３ａ付近）に宛がわれる。
【００８９】
この状態から蓋体２４をさらに閉じると、折り込み片２３の先端が、吊り下げ片３０を押し下げていく。
このとき、保持部２６の先端が吊り下げ片３０に触れる部分は、前記接合部３ａ付近の根元部から徐々に先端側へ移動する。
【００９０】
さらに蓋体２４を閉鎖方向に回動させて、折り込み片２３を収納部２２ｃ内に完全に差し入れると、図７（ｃ）や図８（ｅ）（ｆ）に示すように、折り込み片２３の先端が係止部３１に至る。そして、その折り込み片２３の先端に設けた係止突部２１ａが、係止部３１の穴３１ａに入り込む。この状態で、固定部材２１としての前記折り込み片２３が、係止部３１に係止した状態となる。固定部材２１は、底部２２ｂに向かってケース本体２２内に折り込まれた折り込み片２３である。
【００９１】
このとき、穴３１ａと通り抜けた係止突部２１ａは、収納ケース２０の底部２２ｂに当接するので、その後、係止突部２１ａと係止部３１との係止が外れにくいようになっている。
【００９２】
最後に、収納ケース２０の蓋体２４を閉じてテープ等により封止を行い、飲料水収容具Ｔが完成する。
【００９３】
なお、さらに他の実施形態として、前記固定部材２１としての前記折り込み片２３を、蓋体２４の縁に連設するのではなく、開口部２２ａの周縁、すなわち、側壁部２２ｄの上縁に連設した態様も考えられる。
【００９４】
固定部材２１としての折り込み片２３を、側壁部２２ｄの上縁から収納部２２ｃ内の底部２２ｂに向かってケース本体２２内に折り込み、その折り込み片２３を、容器１の係止部３１に係止する。なお、開口部２２ａを閉じる蓋体２４は、その折り込み片２３を連設させた側壁部２２ｄとは別の側壁部２２ｄの上縁に連設することができる。
【００９５】
このとき、折り込み片２３と係止部３１との係止は、前述の実施形態の係止突部２１ａと穴３１ａを採用することができる。
【００９６】
なお、いずれの実施形態においても、固定部材２１としての前記保持部２６や折り込み片２３と、吊り下げ片３０の係止部３１との係止構造は、前述の実施形態の係止突部２１ａと穴３１ａの構成には限定されない。他の係止構造としては、例えば、収納ケース２０に設けた固定部材２１と、吊り下げ片３０に設けた係止部３１とを、互いにステープラやピン、接着剤等の接合手段により接合した構造、あるいは、吊り下げ片３０の係止部３１を、収納ケース２０の内面と固定部材２１との間に強く挟んで固定した構造等が考えられる。
【００９７】
収納ケース２０に設けた固定部材２１と、吊り下げ片３０に設けた係止部３１とを、ステープラやピン、接着剤等の接合手段により接合する場合、開口部２２ａ側から収納部２２ｃ内に手や治具を入れて、その接合作業を行ってもよいし、収納部２２ｃの底部２２ｂを閉じる折込片や底蓋体がまだ閉じられていない場合は、その底部２２ｂ側から収納部２２ｃ内に手や治具を入れて、その接合作業を行うことができる。
【００９８】
他の実施形態を図９乃至図１１に示す。この実施形態は、前述の実施形態における吊り下げ片３０の張り出し長さを短くし、接続部２を下向きにした使用状態において、収納ケース２０の上下方向中ほどで、その吊り下げ片３０の係止部３１を、収納ケース２０に支持するようにしたものである。
【００９９】
この吊り下げ片３０は、図１０や図１１に示すように、本体部３の側面の上下方向中ほどにある接合部３ａから側方へ伸びて、その先に係止部３１を有している。この実施形態においても、係止部３１は、その吊り下げ片３０のシート状物を貫通するように形成された穴３１ａである。
なお、使用状態では、容器１は、接続部２を下向きにした状態で使用され、この使用状態においても、吊り下げ片３０は、本体部３の側面の上下方向中ほどにある接合部３ａから側方へ伸びて、その先に係止部３１を有する位置関係となる（後述の実施形態の説明図である図１３（ｃ）参照）。
【０１００】
また、この実施形態において、補助部材２９は、前述の実施形態と同様、ケース本体２２の前記開口部２２ａを覆う蓋部２５と、その蓋部２５の両端縁からケース本体２２の前記底部２２ｂに向かって立ち上がる対の保持部２６とを備えた断面コ字状をなす部材であるが、各保持部２６は、収納ケース２０の深さ（開口部２２ａから底部２２ｂまでの距離）のほぼ半分ほどの長さであり、その先端に設けられる係止突部２１ａは、前述の実施形態のものよにも長くなっている。
【０１０１】
このため、使用状態では、収納ケース２０の上下方向中ほどにおいて、各保持部２６に設けた係止突部２１ａが吊り下げ片３０の係止部３１（係止孔３１ａ）に係止し、吊り下げ片３０を介して容器１を支持している。その他の主たる構成は、前述の実施形態と同様であるので、説明を省略する。
【０１０２】
さらに他の実施形態を、図１２及び図１３に示す。この実施形態は、固定部材２１と機能する保持部２６を備えた補助部材２９の使用に代えて、開口部２２ａを閉じる蓋体２４に折り込み片２３を連設することにより、その折り込み片２３を、固定部材２１として機能させるようにしたものである。その他の主たる構成は、前述の図１０や図１１の実施形態と同様であるので、説明を省略する。
【符号の説明】
【０１０３】
１  容器
２  接続部
３  本体部
３ａ  接合部
３ｂ，３ｃ，３ｄ  シート状物
４  突出部
１０  貯水タンク
１１  導水管
１２  凹部
１２ａ  受け部
１３，１５  通気孔
１４  フロート弁
１６  フィルタ
１７  供給バルブ
１８  送水管
２０  収納ケース
２１  固定部材
２１ａ  係止突部
２２  ケース本体
２２ａ  開口部
２２ｂ  底部
２２ｃ  収納部
２２ｄ  側壁部
２３  折り込み片
２４  蓋体
２４ａ  縁
２５  蓋部
２６  保持部
２７  開封口
２７ａ  切目線
２７  開封片
２８  補強部材
２８ａ  切欠き
２８ｂ  開口
２９  補助部材
３０  吊り下げ片
３１  係止部
３１ａ  穴
４０  キャップ
４１  貫通孔
４２  栓
４３  補強筒
４４  フランジ部
４５  首部
【図１】
0005457975.tif 000002
【図２】
0005457975.tif 000003
【図３】
0005457975.tif 000004
【図４】
0005457975.tif 000005
【図５】
0005457975.tif 000006
【図６】
0005457975.tif 000007
【図７】
0005457975.tif 000008
【図８】
0005457975.tif 000009
【図９】
0005457975.tif 000010
【図１０】
0005457975.tif 000011
【図１１】
0005457975.tif 000012
【図１２】
0005457975.tif 000013
【図１３】
0005457975.tif 000014
【図１４】
0005457975.tif 000015
【図１５】
0005457975.tif 000016
【図１６】
0005457975.tif 000017